(57)【要約】【課題】複数の端子を有する電気コネクタにおいて、低コストかつ簡易な手段で、端子単位で確実に誤配線及び誤嵌合を防止することができる技術を提供する。【解決手段】複数の端子１５０と、複数の端子１５０が収容されるハウジング１１０と、ハウジング１１０の嵌合側の外部側面１１６に設けられ、複数の端子１５０の各々の位置を特定する複数の案内部品取付溝１１１と、複数の端子１５０の各々を識別する複数の案内部品１４０と、を備える電気コネクタであって、複数の案内部品１４０の各々は、複数の案内部品取付溝１１１の各々に嵌め込まれて取り付けられ、複数の案内部品１４０の各々は、同一形状及び同一寸法を有し、複数の案内部品１４０の各々は、複数の端子１５０の各々に対応して異なる色を有し、複数の案内部品１４０の各々は、各端子に対応した位置に配置されている。【選択図】図１
2019021597.tif 000002
【特許請求の範囲】
【請求項１】
複数の端子と、
前記複数の端子が収容されるハウジングと、
前記ハウジングの嵌合側の外部側面に設けられ、前記複数の端子の各々の位置を特定する複数の案内部品取付溝と、
前記複数の端子の各々を識別する複数の案内部品と、を備え、
前記複数の案内部品の各々は、前記複数の案内部品取付溝の各々に嵌め込まれて取り付けられ、
前記複数の案内部品の各々は、同一形状及び同一寸法を有し、
前記複数の案内部品の各々は、前記複数の端子の各々に対応して異なる色を有し、
前記複数の案内部品の各々は、各端子に対応した位置に配置されている、電気コネクタ。
【請求項２】
１端子に対して２個の前記案内部品を備える、請求項１に記載の電気コネクタ。
【請求項３】
前記案内部品取付溝は、前記ハウジングの嵌合側端面の一部、及び前記ハウジングの外部側面の一部が開口している、請求項１又は２に記載の電気コネクタ。
【請求項４】
前記案内部品は、前記ハウジングの嵌合側から前記外部側面に沿ってスライドして前記案内部品取付溝に嵌め込まれるように構成されている、請求項１〜３のいずれか１項に記載の電気コネクタ。
【請求項５】
前記案内部品の厚さは、前記案内部品取付溝の深さと略同じであり、前記案内部品が前記案内部品取付溝に嵌め込まれた状態で、前記案内部品の表面と前記外部側面とが略同一平面を形成するように構成されている、請求項１〜４のいずれか１項に記載の電気コネクタ。
【請求項６】
前記案内部品の側面の少なくとも一部は第１の斜面を有し、
前記案内部品取付溝の側面の少なくとも一部は、前記第１の斜面に接触するように構成された第２の斜面を有し、
前記案内部品が前記案内部品取付溝に嵌め込まれた状態で、前記案内部品が前記案内部品取付溝から外側に抜けないように構成されている、請求項１〜５のいずれか１項に記載の電気コネクタ。
【請求項７】
複数の第１端子と、前記複数の第１端子が収容される第１ハウジングとを有する第１コネクタと、
複数の第２端子と、前記複数の第２端子が収容される第２ハウジングとを有する第２コネクタとを有し、
前記第１ハウジングと前記第２ハウジングとが嵌合することにより前記第１端子と前記第２端子とが電気的に接続される電気コネクタ組立体であって、
前記複数の第１端子及び前記複数の第２端子の各々を識別する複数の案内部品を有し、
前記第１ハウジングは、嵌合側の外部側面に設けられ、前記複数の第１端子の各々の位置を特定する複数の第１案内部品取付溝を有し、
前記第２ハウジングは、嵌合側の外部側面に設けられ、前記複数の第２端子の各々の位置を特定する複数の第２案内部品取付溝を有し、
前記複数の案内部品の各々は、前記複数の第１案内部品取付溝及び前記複数の第２案内部品取付溝の各々に嵌め込まれて取り付け可能であり、
前記複数の案内部品の各々は、同一形状及び同一寸法を有する、電気コネクタ組立体。
【発明の詳細な説明】
【技術分野】
【０００１】
本発明は、電気コネクタに関し、特に複数の端子を有する電気コネクタの誤配線及び誤嵌合を防止する機能を設けた電気コネクタに関する。
【背景技術】
【０００２】
例えば、電源ラインなどの接続に使用される高安全性・高信頼性が要求される電気コネクタの場合、プラグコネクタとレセプタクルコネクタとを嵌合する際、間違えて異なるコネクタを嵌合すると問題になる。とくに、配電盤などには、多数の電気コネクタが密集して配列されている場合があり、誤配線・誤嵌合を防止するために細心の注意が必要であり、配線及び嵌合作業が大変であり、多大な時間と労力が必要となる。
【０００３】
例えば、モジュラープラグをモジュラージャックに挿入する際の誤挿入を防止する技術とて、特許文献１（実開平７−２５５８９公報）に記載された技術がある。この技術は、集線装置に設けた複数のモジュラージャックの付近にカラーモジュラープラグと同色のカラーマークシートを予め貼り付け、カラーマークシートに合わせて同色のカラーモジュラープラグをモジュラージャックに挿入して接続するというものである。しかしながら、この技術は、プラグ全体の色に合わせて、モジュラージャックの付近に同色のカラーマークシートを貼り付けて、誤嵌合を防止するものであり、複数の端子を有するプラグにおいて、端子単位で誤嵌合を防止するものではない。
【先行技術文献】
【特許文献】
【０００４】
【特許文献１】実開平７−２５５８９公報
【発明の概要】
【発明が解決しようとする課題】
【０００５】
本発明は、上記のような問題を解決するために、完成されたものであり、その目的は、複数の端子を有する電気コネクタにおいて、低コストかつ簡易な手段で、端子単位で確実に誤配線及び誤嵌合を防止することができる技術を提供することにある。
【０００６】
本発明の前記並びにその他の目的と新規な特徴は、本明細書の記述及び添付図面から明らかになるであろう。
【課題を解決するための手段】
【０００７】
本願において開示される発明のうち、代表的なものの概要を簡単に説明すれば、次のとおりである。
【０００８】
すなわち、本発明に係る電気コネクタは、複数の端子と、前記複数の端子が収容されるハウジングと、前記ハウジングの嵌合側の外部側面に設けられ、前記複数の端子の各々の位置を特定する複数の案内部品取付溝と、前記複数の端子の各々を識別する複数の案内部品と、を備え、前記複数の案内部品の各々は、前記複数の案内部品取付溝の各々に嵌め込まれて取り付けられ、前記複数の案内部品の各々は、同一形状及び同一寸法を有し、前記複数の案内部品の各々は、前記複数の端子の各々に対応して異なる色を有し、前記複数の案内部品の各々は、各端子に対応した位置に配置されていることを特徴とするものである。
【発明の効果】
【０００９】
本発明に係る電気コネクタは、ハウジングの嵌合側の外部側面に、各端子を識別する同一形状・色違いの案内部材を着脱可能に取り付けたので、低コストかつ簡易な手段で、確実に誤配線及び誤嵌合を防止することができる。
【図面の簡単な説明】
【００１０】
【図１】本発明に係る電気コネクタの全体構成を示す斜視図である。
【図２】図１に示す電気コネクタの全体構成を示す平面図である。
【図３】図２のＡ−Ａ切断面における断面図である。
【図４】本発明に係るプラグコネクタ及び案内部品の構成を示す斜視図である。
【図５】本発明に係るレセプタクルコネクタの構成を示す斜視図である。
【図６】本発明に係る案内部品の構成を示す正面図である。
【図７】本発明に係る案内部品の構成を示す斜視図である。
【図８】本発明に係る案内部品取付溝の構成を示す側面図である。
【図９】本発明に係る案内部品取付溝の構成を示す斜視図である。
【図１０】図９に示す案内部品取付溝に案内部品を取り付けた状態を示す正面図である。
【図１１】図１０のＡ−Ａ切断面における断面図である。
【図１２】図１０のＢ−Ｂ切断面における断面図である。
【発明を実施するための形態】
【００１１】
以下、本発明の実施の形態を図面に基づいて詳細に説明する。なお、実施の形態を説明するための全図において、同一部材には原則として同一の符号を付し、その繰り返しの説明は省略する。
【００１２】
以下の実施の形態においては便宜上その必要があるときは、複数のセクションまたは実施の形態に分割して説明するが、特に明示した場合を除き、それらは互いに無関係なものではなく、一方は他方の一部または全部の変形例、詳細、補足説明等の関係にある。また、以下の実施の形態において、要素の数等（個数、数値、量、範囲等を含む）に言及する場合、特に明示した場合および原理的に明らかに特定の数に限定される場合等を除き、その特定の数に限定されるものではなく、特定の数以上でも以下でもよい。
【００１３】
図１は、本発明に係る電気コネクタの全体構成を示す斜視図、図２は、その平面図、図３は、図２のＡ−Ａ切断面における断面図である。図４は、本発明に係るプラグコネクタ及び案内部品の構成を示す斜視図であり、図１とは違う角度から見たものである。図５は、本発明に係るレセプタクルコネクタの構成を示す斜視図であり、図１とは違う角度から見たものであり、ケーブル、圧着端子、ねじ、パネル等を省略している。
【００１４】
まず、図１〜５により、本実施の形態による電気コネクタの構成の一例を説明する。本実施の形態の電気コネクタは、例えば、電源線の接続などに使用される複数の端子を有するプラグコネクタ１００又はレセプタクルコネクタ２００である。図１に示すプラグコネクタ１００及びレセプタクルコネクタ２００は、３端子用のコネクタであるが、端子の数は、３端子に限定されることなく、２端子又は４端子以上であってもよい。以下、一例として、３端子の電気コネクタの実施形態を説明する。なお、本実施形態の３端子の電気コネクタの場合、案内部品１４０の個数は、各端子用に２個（両側の外部側面）、合計６個となる。
【００１５】
プラグコネクタ１００は、ハウジング１１０、ハウジング１１０の上部に設けられた片持ちバネ状のロックレバー１２０、ハウジング１１０の一部の周りにスライド可能に取り付けられたホルダ１３０、端子の配置を特定するための複数（図１では６個）の案内部品１４０、ハウジング１１０に収容された電気接続用の複数の導電性の端子１５０、端子１５０に接続された複数のケーブル１６０などから構成される。
【００１６】
ハウジング１１０は、嵌合側（Ｘ2方向）に３つの開口１２４を有し、ハウジング１１０の内部で３個の端子１５０が固定され、各端子１５０にはケーブル１６０が結線されている。ハウジング１１０の嵌合側（Ｘ2方向）先端部分の外部側面１１６には、案内部品１４０を取り付けるための案内部品取付溝１１１が、１つの端子に対して２個、合計６個設けられている。６個の案内部品取付溝１１１は、すべて同じ形状・寸法を有し、Ｘ1Ｘ2軸に対して線対称な形状を有する。案内部品取付溝１１１は、ハウジング１１０の嵌合側端面１１５、及びハウジング１１０の外部側面１１６が開口（露呈）している。案内部品取付溝１１１は、案内部品１４０とともに、各端子１５０の位置を特定する役目を果たす。また、ハウジング１１０、ロックレバー１２０、ホルダ１３０は、プラスティック等の絶縁性樹脂の材料を一体成型して作製される。
【００１７】
ロックレバー１２０は、ハウジング１１０の嵌合側上部に連結された連結部１２３、連結部１２３の反対側の操作部１２２、連結部１２３と操作部１２２の間のロック突部１２１などから構成される。ロック突部１２１は嵌合側（Ｘ2方向）が斜面に、操作部１２２側（Ｘ1方向）が垂直面として形成されている。プラグコネクタ１００とレセプタクルコネクタ２００とが嵌合されるときに、ロック突部１２１が、レセプタクルコネクタ２００のロック凹部２１２に嵌まり込み、嵌合状態がロック（保持）されるようになっている。コネクタ抜去時にロックを解除するときは、操作部１２２を指で押し下げることにより、ロック突部１２１が下がり、ロック凹部２１２との嵌合が外れ、ロックが解除される。この状態で、プラグコネクタ１００を引き抜くことにより、コネクタを抜去することができる。操作部１２２は、連結部１２３を支点としてコネクタの嵌合方向に対して垂直な方向（Ｚ1，Ｚ2方向）に変位可能である。また、ロックレバー１２０は、操作部１２２が固定されているときに、ロック突部１２１が設けられている中央付近に所定以上の力が加わったときに撓むようになっている。
【００１８】
ホルダ１３０は、筒状であり、ハウジング１１０のケーブル側にハウジングを囲むように取り付けられる。ホルダ１３０は、Ｘ1及びＸ2方向に沿ってスライド移動可能である。また、ホルダ１３０は、スライド移動のための操作部１３１を有する。図１のホルダ１３０の位置は、正規位置の状態である。また、ホルダ１３０には、その上部に、ロックレバー１２０の両側に沿って２つのガイド壁１３２が設けられている。ガイド壁１３２は、ロックレバー１２０の操作部１２２を保護し、不意に物や手などが触れて操作部１２２が変位してしまうことを防止するとともに、操作部１２２とハウジング１１０の外壁との間にケーブルなどが入り込み操作部１２２を操作不能になってしまうことを防止している。
【００１９】
ホルダ１３０は、２つのガイド壁１３２の間に操作部１３１と連結した規制部１３３を備え、コネクタ嵌合のロック時に、規制部１３３が、ロックレバー１２０の操作部１２２の下に入り込み、操作部１２２の下方向（Ｚ2方向）への変位が規制される。ロック解除時には、操作部１３１を操作してホルダ１３０をケーブル側（Ｘ1方向）にスライド移動させて、規制部１３３を操作部１２２の下から外すことにより、操作部１２２の下方向（Ｚ2方向）への変位が許容される。
【００２０】
案内部品１４０は、各端子１５０を識別するための部品であり、ハウジング１１０に対して取り付け・取り外しが可能な部品である。図４に示すように、案内部品１４０は、案内部品取付溝１１１に嵌合側（Ｘ2方向）の端部から外部側面１１６に沿ってスライドして嵌め込まれる。案内部品１４０の各々は、対応端子と同じ高さ、対応端子の近くに取り付けるのが好ましい。複数の案内部品１４０は、すべて同一形状及び同一寸法を有し、Ｘ1Ｘ2軸に対して線対称な形状を有する。案内部品１４０の厚さは、案内部品取付溝１１１の深さと略同じであり、案内部品１４０が案内部品取付溝１１１に嵌め込まれた状態で、案内部品１４０の表面とハウジング１１０外部側面１１６とが略同一平面を形成するように構成されている。すなわち、案内部品１４０を案内部品取付溝１１１に取り付けた状態で、ハウジング１１０の外部側面１１６は、面一となる。これにより、外部側面に突起が生じないのでコネクタの嵌合がスムーズになる。
【００２１】
また、各端子を識別するために、案内部品１４０の各々は、各端子１５０の種類に対応して固有の色を有する。これにより、各端子の配置が、外部から容易に識別できるようになる。また、本実施の形態では、各端子を識別するために、色分けを行っているが、これに限定されるものではなく、例えば、案内部品１４０に、マーク、記号、符号、模様などを付して識別可能にしてもよい。色分けの場合は、一目瞭然であり、一瞬にして識別可能であるという利点がある。
【００２２】
本実施の形態のプラグコネクタ１００は、３個の端子１５０を有し、各端子１５０は、レセプタクルコネクタ２００の端子２２０と接触するピン状（オス型）の接触部１５１、本体部１５２、ケーブル１６０と接続される結線部１５３等から構成される。端子１５０は、導電性の金属で作製される。
【００２３】
レセプタクルコネクタ２００は、筒状のハウジング２１０、ハウジング２１０内に収容された電気接続用の金属製の複数の端子２２０、端子の配置を特定するための複数の案内部品１４０（図１では６個）などから構成される。レセプタクルコネクタ２００の案内部品１４０は、プラグコネクタ１００と同じものが使用される。
【００２４】
ハウジング２１０は、パネル２６０にねじ止めするためのフランジ２１１、ハウジング２１０の上部壁部に設けられたロック凹部２１２、嵌合側端面２１５、外部側面２１６、六角ナット２８０を保持するためのナット保持部２１７等から構成される。また、ハウジング２１０は、プラスティック等の絶縁性樹脂の材料を一体成型して作製される。
【００２５】
ロック凹部２１２は、プラグコネクタ１００とレセプタクルコネクタ２００の嵌合時に、プラグコネクタ１００のロック突部１２１が嵌り込んで、コネクタの離脱を防止するものである。ハウジング２１０は、その内側の嵌合方向（Ｘ1方向）に嵌合空間２１４を有し、プラグコネクタ１００のハウジング１１０が挿入して嵌合するようになっている。また、レセプタクルコネクタ２００は、コネクタ設置の際、フランジ２１１に設けられた孔を利用して、配電盤や装置などのパネル２６０に、ねじ２５２で固定される。
【００２６】
本実施の形態のレセプタクルコネクタ２００は、３個の端子２２０を有し、各端子２２０は、プラグコネクタ１００の端子１５０と接触するばね状の接触片２２１（メス型）、本体部２２２、ケーブル２７０と接続される結線部２２３などから構成される。端子２２０は、導電性の金属で作製される。また、端子２２０の本体部２２２は、箱形になっており、その後端部の結線部２２３には、ねじ止め用の孔２２６が開いており、ねじ２５１と六角ナット２８０により圧着端子２４０が結線部２２３に固定される。そして、圧着端子２４０を介して、ケーブル２７０が端子２２０に電気的に接続される。
【００２７】
プラグコネクタ１００及びレセプタクルコネクタ２００の嵌合時は、プラグコネクタ１００のハウジング１１０の一部が、レセプタクルコネクタ２００のハウジング２１０内に挿入され、ハウジング同士が嵌合することにより、プラグコネクタ１００の端子１５０と、レセプタクルコネクタ２００の端子２２０が接触し、電気的に接続される。
【００２８】
ハウジング２１０の嵌合側（Ｘ1方向）先端部分の外部側面２１６には、案内部品１４０を取り付けるための案内部品取付溝２１３が、１つの端子に対して２個、合計６個設けられている。６個の案内部品取付溝２１３は、すべて同じ形状・寸法を有し、Ｘ1Ｘ2軸に対して線対称な形状を有する。また、案内部品取付溝２１３は、プラグコネクタ１００の案内部品取付溝１１１と同じ寸法を有する。案内部品取付溝２１３は、ハウジング２１０の嵌合側端面２１５、及びハウジング２１０の外部側面２１６が開口（露呈）している。また、図５に示すように、案内部品取付溝２１３は、フランジ２１１の両側にわたって延びている。これにより、パネル２６０の表側と裏側の両方から、案内部品１４０を確認することができる。案内部品取付溝２１３は、案内部品１４０とともに、各端子２２０の位置を特定する役目を果たす。
【００２９】
案内部品１４０は、プラグコネクタ１００と共通のものが使用される。案内部品１４０は、各端子２２０を識別するための部品であり、ハウジング２１０に対して取り付け・取り外しが可能な部品である。案内部品１４０は、案内部品取付溝２１３に嵌合側（Ｘ1方向）の端部から外部側面２１６に沿ってスライドして嵌め込まれる。案内部品１４０の各々は、対応端子と同じ高さ、対応端子の近くに取り付けるのが好ましい。複数の案内部品１４０は、すべて同一形状及び同一寸法を有し、Ｘ1Ｘ2軸に対して線対称な形状を有する。案内部品１４０の厚さは、案内部品取付溝２１３の深さと略同じであり、案内部品１４０が案内部品取付溝２１３に嵌め込まれた状態で、案内部品１４０の表面とハウジング２１０外部側面２１６とが略同一平面を形成するように構成されている。すなわち、案内部品１４０を案内部品取付溝２１３に取り付けた状態で、ハウジング２１０の外部側面２１６は、面一となる。また、図５に示すように、案内部品１４０は、フランジ２１１の両側にわたって取り付けられる。これにより、パネル２６０の外側と内側の両方から、案内部品１４０を確認することができる。
【００３０】
また、各端子を識別するために、案内部品１４０の各々は、各端子２２０の種類に対応して固有の色を有する。これにより、各端子の配置が、外部から容易に識別できるようになる。
【００３１】
また、プラグコネクタ１００とレセプタクルコネクタ２００を嵌合したときに、同じ色の案内部品１４０が重なり合うように、お互いに接続される端子１５０，２２０の近くに同じ色の案内部品１４０が取り付けられる。これにより、プラグコネクタ１００及びレセプタクルコネクタ２００が、それぞれ、複数個ある場合に、間違ったコネクタを嵌合することが防止され、コネクタ同士の誤嵌合が防止される。
【００３２】
図６は、本発明に係る案内部品の構成を示す正面図であり、図７は、案内部品の構成を示す斜視図である。図８は、本発明に係る案内部品取付溝の構成を示す側面図であり、図９は、案内部品取付溝の構成を示す斜視図である。図１０は、案内部品取付溝に案内部品を取り付けた状態を示す正面図であり、図１１は、図１０のＡ−Ａ切断面における断面図であり、図１２は、図１０のＢ−Ｂ切断面における断面図である。なお、図８〜図１２は、ハウジング１１０の一部を切り出して示したが、ハウジング２１０の一部と略同じ構造である。
【００３３】
次に、図６〜図１２により、案内部品１４０及び案内部品取付溝１１１の詳細な構成を説明する。以下において、プラグコネクタ１００の案内部品取付溝１１１に案内部品１４０を取り付ける形態を一例として説明するが、レセプタクルコネクタ２００の案内部品取付溝２１３に案内部品１４０を取り付ける形態は、ほぼ同様であり、取り付け方向が異なるだけであるので、その説明を省略する。
【００３４】
図６及び図７に示すように、案内部品１４０は、嵌合ガイド斜面１４１、規制斜面１４２、位置決め斜面１４３、固定斜面１４４、スリット１４５などから構成される。嵌合ガイド斜面１４１は、レセプタクルコネクタ２００と嵌合するときに、接触時の衝撃を緩衝し、嵌合を容易にするための面取りである。規制斜面１４２は、案内部品１４０のＹ2方向への移動を規制し、案内部品１４０のＹ2方向への離脱を防止するものである。位置決め斜面１４３は、案内部品１４０取り付け時のＸ方向の位置決めを行うものである。固定斜面１４４は、案内部品１４０を取り付ける際、取り付け位置を保持するものである。スリット１４５は、案内部品１４０にバネ性を持たせ、案内部品１４０の取り付け及び取り外しの際、案内部品の二股部分が内側に撓み、取り付けを容易にするためのものである。規制斜面１４２、位置決め斜面１４３、固定斜面１４４は、上下両側に同じ形状のものが対称的に設けられている。また、規制斜面１４２の部分の案内部品１４０の断面は、図１１に示すように、Ｙ2側を上辺、Ｙ1側を底辺とする台形となっており、Ｙ1側の幅が幅Ｙ2側の幅より大きくなっている。
【００３５】
図８及び図９に示すように、案内部品取付溝１１１は、規制斜面１１２、位置決め斜面１１３、固定斜面１１４などから構成される。規制斜面１１２は、案内部品１４０の規制斜面１４２と当接し、案内部品１４０のＹ2方向への移動を規制し、案内部品１４０のＹ2方向への離脱を防止するものである。位置決め斜面１１３は、案内部品１４０の位置決め斜面１４３と当接し、案内部品１４０取り付け時のＸ方向の位置決めを行うものである。固定斜面１１４は、案内部品１４０の固定斜面１４４と当接し、案内部品１４０を取り付ける際、取り付け位置を保持するものである。規制斜面１１２、位置決め斜面１１３、固定斜面１１４は、上下両側に同じ形状のものが対称的に設けられている。また、規制斜面１１２の部分の案内部品取付溝１１１の断面は、図１１に示すように、Ｙ2側を上辺、Ｙ1側を底辺とする台形となっており、Ｙ2側の幅よりＹ1側の幅の方が大きくなっている。
【００３６】
以上説明したように、プラグコネクタ１００又はレセプタクルコネクタ２００の両方に、各端子に対応して色違いの案内部品１４０を取り付け、接続されるべき両端子に対応する案内部品１４０の色を同じにすることにより、各端子の位置を外部から容易に認識することができるので、ケーブルの誤配線や電気コネクタの誤嵌合を防止することができる。
【００３７】
したがって、本実施の形態の電気コネクタによれば、端子の識別用部品として同一形状の案内部品を使用しているので、案内部品の取り付け及び取り外しが簡単にでき作業性が向上し、色の組み合わせの自由度が高く、識別が容易であり、低コストで、ケーブルの誤接続及びコネクタの誤嵌合を防止するができる。
【００３８】
以上、本発明者によってなされた発明をその実施の形態に基づき具体的に説明したが、本発明は前記実施の形態に限定されるものではなく、その要旨を逸脱しない範囲で種々変更可能であることはいうまでもない。
【００３９】
例えば、前記実施の形態においては、３端子のコネクタについて説明したが、これに限定されるものではなく、２端子又は４端子以上のコネクタについても適用可能である。
【産業上の利用可能性】
【００４０】
本発明に係る電気コネクタは、産業用、業務用、家庭用など広く利用することができる。
【符号の説明】
【００４１】
１００  プラグコネクタ
１１０  ハウジング
１１１  案内部品取付溝
１１２  規制斜面
１１３  位置決め斜面
１１４  固定斜面
１１５  嵌合側端面
１１６  外部側面
１２０  ロックレバー
１２１  ロック突部
１２２  操作部
１２３  連結部
１２４  開口
１３０  ホルダ
１３１  操作部
１３２  ガイド壁
１３３  規制部
１４０  案内部品
１４１  嵌合ガイド斜面
１４２  規制斜面
１４３  位置決め斜面
１４４  固定斜面
１４５  スリット
１５０  端子
１５１  接触部
１５２  本体部
１５３  結線部
１６０  ケーブル
２００  レセプタクルコネクタ
２１０  ハウジング
２１１  フランジ
２１２  ロック凹部
２１３  案内部品取付溝
２１４  嵌合空間
２１５  嵌合側端面
２１６  外部側面
２１７  ナット保持部
２２０  端子
２２１  接触片
２２２  本体部
２２３  結線部
２２６  孔
２４０  圧着端子
２５１  ねじ
２５２  ねじ
２６０  パネル
２７０  ケーブル
２８０  六角ナット
【図１】
2019021597.tif 000003
【図２】
2019021597.tif 000004
【図３】
2019021597.tif 000005
【図４】
2019021597.tif 000006
【図５】
2019021597.tif 000007
【図６】
2019021597.tif 000008
【図７】
2019021597.tif 000009
【図８】
2019021597.tif 000010
【図９】
2019021597.tif 000011
【図１０】
2019021597.tif 000012
【図１１】
2019021597.tif 000013
【図１２】
2019021597.tif 000014